(57)【要約】【課題】適切な位置に着用しやすく、股関節屈曲による位置ずれが生じにくい腰用サポーターを提供する。【解決手段】本発明は、少なくとも上前腸骨棘を覆い、腰部に着用する腰用サポーター１であって、長手方向に伸縮性を有するサポーター本体１０と、サポーター本体１０の長手方向の中央部１１に幅方向に延びるように配置されている中央補強部２０と、サポーター本体１０の長手方向の両端部１２に設けられた脱着手段４１、４２と、長手方向に伸縮性を有し、サポーター本体１０に少なくとも一つの端部が固定されている補助ベルト３０を備え、サポーター本体１０は、下縁において、長手方向の中央部１１と両端部１２の間に形成された一対の丸みを帯びたくびれ部６１を有し、且つ両端部１２の下縁は円弧状になっている腰用サポーターに関する。【選択図】図１
2018076628.tif 000002
【特許請求の範囲】
【請求項１】
少なくとも上前腸骨棘を覆い、腰部に着用する腰用サポーターであって、
長手方向に伸縮性を有するサポーター本体と、前記サポーター本体の長手方向の中央部に幅方向に沿うように配置されている中央補強部と、前記サポーター本体の長手方向の両端部に設けられた脱着手段と、長手方向に伸縮性を有し、前記サポーター本体の長手方向に沿って配置され、少なくとも一つの端部がサポーター本体に固定されている補助ベルトを備え、
前記サポーター本体は、下縁において、長手方向の中央部と両端部の間に形成された一対の丸みを帯びたくびれ部を有し、且つ前記両端部の下縁は円弧状になっていることを特徴とする腰用サポーター。
【請求項２】
前記サポーター本体の長手方向の両端部において、人体側の反対側には起毛面が露出するように起毛生地が配置され、前記サポーター本体の長手方向の両端部の人体側のいずれか一方には前記起毛生地と脱着可能に結合することができる面ファスナーが配置され、前記起毛生地及び前記面ファスナーが脱着手段を形成している請求項１に記載の腰用サポーター。
【請求項３】
前記補助ベルトの長手方向の片方の端部は前記サポーター本体に固定されており、他方の端部には前記サポーター本体に脱着可能に結合することができる脱着手段が設けられている請求項１又は２に記載の腰用サポーター。
【請求項４】
前記補助ベルトは、２本の左右対称に配置されている上部補助ベルトと、２本の左右対称に配置されている下部補助ベルトを含む請求項１〜３のいずれか１項に記載の腰用サポーター。
【請求項５】
前記上部補助ベルトと前記下部補助ベルトはいずれも人体側の反対側に設けられており、前記上部補助ベルトと前記下部補助ベルトの長手方向の片方の端部は前記サポーター本体に固定されており、他方の端部には前記起毛生地と脱着可能に結合することができる面ファスナーが配置されている請求項４に記載の腰用サポーター。
【請求項６】
前記下部補助ベルトは、前記サポーター本体の長手方向の中央部において交差している請求項４又は５に記載の腰用サポーター。
【請求項７】
前記補助ベルトは、前記サポーター本体より、長手方向の伸縮性が高い伸縮性素材で構成されている請求項１〜６のいずれか１項に記載の腰用サポーター。
【請求項８】
前記くびれ部が鼠径部に沿うように着用する請求項１〜７のいずれか１項に記載の腰用サポーター。
【発明の詳細な説明】
【技術分野】
【０００１】
本発明は、少なくとも上前腸骨棘を覆い、腰部に着用して、骨盤の安定性を保持する腰用サポーターに関する。
【背景技術】
【０００２】
腰用サポーターは、通常、腰部を保護し、骨盤を安定させるために用いられている。従来の腰用サポーターは、腰部を巻き包む帯状の一枚の本体で構成されたものや、より固定力を向上させるためにサポーター本体の外側にサポーター本体を補助する補助帯状物を付加しているもの等が見られる。例えば、特許文献１には、伸縮性素材からなるサポーター本体と、サポーター本体よりも伸縮性の強い伸縮性素材で構成され、サポーター本体に固定されている補助ベルトを有する腰用サポーターが記載されている。
【先行技術文献】
【特許文献】
【０００３】
【特許文献１】特開２００４−２７７９３６号公報
【発明の概要】
【発明が解決しようとする課題】
【０００４】
しかし、特許文献１に記載の腰用サポーターは、歩行、腰の曲げ伸ばし、座ったり立ったりする動作中に、股関節の屈曲により持ち上げられ、位置が上にずれやすいという問題があった。
【０００５】
本発明は、上記従来の問題を解決するため、適切な位置に着用しやすく、股関節屈曲による位置ずれが生じにくい腰用サポーターを提供する。
【課題を解決するための手段】
【０００６】
本発明は、少なくとも上前腸骨棘を覆い、腰部に着用する腰用サポーターであって、長手方向に伸縮性を有するサポーター本体と、前記サポーター本体の長手方向の中央部に幅方向に沿うように配置されている中央補強部と、前記サポーター本体の長手方向の両端部に設けられた脱着手段と、長手方向に伸縮性を有し、前記サポーター本体に少なくとも一つの端部が固定されている補助ベルトを備え、前記サポーター本体は、下縁において、長手方向の中央部と両端部の間に形成された一対の丸みを帯びたくびれ部を有し、且つ前記両端部の下縁は円弧状になっていることを特徴とする腰用サポーターに関する。
【０００７】
本発明の一実施形態において、前記サポーター本体の長手方向の両端部において、人体側の反対側には起毛面が露出するように起毛生地が配置され、前記サポーター本体の長手方向の両端部の人体側のいずれか一方には前記起毛生地と脱着可能に結合することができる面ファスナーが配置され、前記起毛生地及び前記面ファスナーが脱着手段を形成していることが好ましい。
【０００８】
本発明の一実施形態において、前記補助ベルトの長手方向の片方の端部は前記サポーター本体に固定されており、他方の端部には前記サポーター本体に脱着可能に結合することができる脱着手段が設けられていることが好ましい。本発明の一実施形態において、前記補助ベルトは、２本の左右対称に配置されている上部補助ベルトと、２本の左右対称に配置されている下部補助ベルトを含むことが好ましい。本発明の一実施形態において、前記上部補助ベルトと前記下部補助ベルトはいずれも人体側の反対側に設けられており、前記上部補助ベルトと前記下部補助ベルトの長手方向の片方の端部は前記サポーター本体に固定されており、他方の端部には前記起毛生地と脱着可能に結合することができる面ファスナーが配置されていることが好ましい。本発明の一実施形態において、前記下部補助ベルトは、前記サポーター本体の長手方向の中央部において交差していることが好ましい。本発明の一実施形態において、前記補助ベルトは、前記サポーター本体より、長手方向の伸長率が高い高伸縮性素材で構成されていることが好ましい。
【０００９】
本発明の一の実施形態において、前記くびれ部が鼠径部に沿うように腰用サポーターが着用される。
【発明の効果】
【００１０】
本発明は、適切な位置に着用しやすく、股関節屈曲による違和感を軽減し、位置ずれが生じにくい腰用サポーターを提供する。
【図面の簡単な説明】
【００１１】
【図１】図１は本発明の一実施形態の腰用サポーターの正面図である。
【図２】図２は本発明の一実施形態の腰用サポーターの背面図である。
【図３】図３は本発明の一実施形態の腰用サポーターの斜視図である。
【図４】図４は本発明の一実施形態の腰用サポーターの使用状態を示す正面図である。
【図５】図５は本発明の一実施形態の腰用サポーターの使用状態を示す側面図である。
【図６】図６は本発明の一実施形態の腰用サポーターの各寸法を説明する正面図である。
【図７】図７は比較例１の腰用サポーターの正面図である。
【図８】図８は比較例１の腰用サポーターの背面図である。
【図９】図９は股関節屈曲運動による腰用サポーターの位置ずれの結果を示すグラフである。
【発明を実施するための形態】
【００１２】
本発明者らは、少なくとも上前腸骨棘を覆い、腰部に着用する腰用サポーターにおいて、股関節屈曲による違和感を軽減し、位置ずれを抑制することについて鋭意検討を重ねた。その結果、少なくとも上前腸骨棘を覆い、腰部に着用するサポーター本体の長手方向の中央部と両端部の間に一対の丸みを帯びたくびれ部を形成し、且つ前記両端部の下縁を円弧状にすることで、適切な位置に着用しやすく、股関節屈曲による位置ずれが生じにくくなることを見出し、本発明に至った。サポーター本体の長手方向の両端部の下縁が円弧状になっていることで、腰用サポーターは適切な位置、好ましくは前記くびれ部が鼠径部に沿うように着用されやすく、且つ前記くびれ部が丸みを帯びていることから、股関節屈曲による位置ずれが生じにくくなる。
【００１３】
本発明において、「伸縮性を有する」とは、長手方向及び／又は幅方向における素材の伸長率が１０％以上であることを意味する。本発明において、伸長率とは、ＪＩＳ  Ｌ  １０９６に準じて測定したものをいい、具体的には、荷重をかけていない状態のサンプルの長さをＡとし、１７．６Ｎの荷重をかけた状態のサンプルの長さをＢとした場合、伸長率＝（Ｂ−Ａ）／Ａ×１００で算出したものである。
【００１４】
前記腰用サポーターは、長手方向に伸縮性を有するサポーター本体を備える。前記サポーター本体は、腰部に着用し、少なくとも上前腸骨棘を覆うことができればよく、その大きさは適宜決めることができる。腰部全体を保護し、骨盤を安定させやすい観点から、身体の背面において、第二腰椎から上後腸骨棘の下縁までを覆うことが好ましい。また、身体の前面において、上前腸骨棘の下縁から上前腸骨棘の上縁までを覆うことが好ましい。
【００１５】
前記サポーター本体は、長手方向に伸縮性を有し、長手方向に伸縮性を有する伸縮性素材で構成されている。前記サポーター本体を構成する伸縮性素材は、幅方向にも伸縮性を有してもよい。この場合、前記サポーター本体は、幅方向にも伸縮性を有することになる。腰部を保護し、骨盤を安定させやすい観点から、サポーター本体を構成する伸縮性素材の長手方向の伸長率は、１０％以上であることが好ましく、３０％以上であることがより好ましい。着用性の観点から、１００％以下であることが好ましく、８０％以下であることがより好ましい。サポーター本体を構成する伸縮性素材の幅方向の伸長率は、特に限定されないが、着用性及び身体の動きに対する追従性の観点から、好ましくは、１０〜３０％であり、より好ましくは、１５〜２５％である。
【００１６】
前記サポーター本体を構成する伸縮性素材は、伸縮性を有するものであればよく、その構成は特に限定されない。前記伸縮性素材には、例えば、ポリエチレンテレフタレート、ポリトリメチレンテレフタレート、ポリブチレンテレフタレート等のポリエステル繊維、ポリウレタン繊維、アセテート繊維、コットン繊維、レーヨン繊維、エチレンビニルアルコール繊維、ナイロン繊維等を用いることができる。前記サポーター本体生地は、ポリエステル繊維及び/又はナイロン繊維を主成分とし、ポリウレタン弾性繊維（スパンデックスとも称される。）を適量含む編物又は織物であることが好ましい。また、前記編物又は織物の組織も特に限定されない。通気性の観点から、メッシュ素材を用いることが好ましい。
【００１７】
前記サポーター本体は、一層であってもよく、二層以上の層構造を有してもよい。例えば、裏面側と表面側の二層で構成されてもよい。表面側と裏面側は、同じ伸縮性素材で構成されてもよく、異なる伸縮性素材で構成されてもよい。本発明の実施形態において、裏面側とは、人体側を意味し、表面側とは、人体側の反対側を意味する。
【００１８】
サポーター本体は、長手方向の中央部と両端部の間に形成された一対の丸みを帯びたくびれ部を有し、且つ前記両端部の下縁は円弧状になっている。前記くびれ部は、大腿部の動作を阻害しないように丸みを帯びていることが望ましく、くびれ部の曲率半径Ｒｎは、４５ｍｍ以上１０５ｍｍ以下であることが好ましく、６０ｍｍ以上９０ｍｍ以下であることがさらに好ましい。くびれ部を形成された箇所において、サポーター本体の幅は、９０ｍｍ以上１５０ｍｍ以下であることが好ましく、１０５ｍｍ以上１３５ｍｍ以下であることがさらに好ましい。別の言い方をすれば、くびれ部の曲率半径Ｒｎは、サポーター本体の最大幅の２０〜４８％であることが好ましく、２７〜４１％であることがより好ましい。また、くびれ部を形成された箇所において、サポーター本体の幅は、サポーター本体の最大幅の４０〜６８％であることが好ましく、４７〜６２％であることがより好ましい。本明細書において、「サポーター本体の最大幅」とは、サポーター本体の長手方向に対して垂直であり、かつサポーター本体の中心を通る線分の長さをいう。このようにサポーター本体が、長手方向の中央部と両端部の間に形成された一対の丸みを帯びたくびれ部と、下縁が円弧状になっている両端部を有することにより、腰用サポーターを正しい位置に着用しやすく、好ましくは、くびれ部が鼠径部に沿うように着用しやすく、股関節屈曲による位置ずれが生じにくくなる。
【００１９】
前記サポーター本体の長手方向の中央部には、補強部が幅方向に沿って配置されている。中央補強部の本数は、特に限定されず、１本以上であればよく、２本、３本、４本、５本、６本等適宜に決めることができる。中央補強部によって、腰部に対する保護を高めることができる。腰部を均一に保護しやすい観点から、中央補強部が２本以上の場合、左右対称になるように配置されていることが好ましい。
【００２０】
前記中央補強部は特に限定されず、例えば、樹脂片や金属片で構成することができる。腰部に対する保護及び人体形状への追従性の観点から、補強部は、樹脂片で構成されていることが好ましい。樹脂としては、特に限定されないが、例えば、ポリエチレン、ポリプロピレン、ポリカーボネート等を用いることができる。
【００２１】
前記中央補強部の長さ（縦寸法）は、補強部が配置されている箇所のサポーター本体の幅（縦寸法）と同じがそれよりやや短めであることが好ましい。補強部の幅（横寸法）は、特に限定されないが、例えば、１０〜１００ｍｍであることが好ましい。補強部の厚みは、特に限定されないが、例えば、１〜５ｍｍであることが好ましい。
【００２２】
前記中央補強部は、特に限定されず、縫製や接着等によってサポーター本体に固定されている。接着の場合は、ＥＶＡ（エチレン-酢酸ビニル共重合樹脂）系のホットメルト等の接着剤によってサポーター本体に固着する。縫製の場合は、例えば、サポーター本体に樹脂片又は金属片を配置し、それを適切な補強生地で覆った後、該補強生地をサポーター本体に縫い合わせてことで、樹脂片又は金属片をサポーター本体に固定することができる。この場合、中央補強部は、樹脂片又は金属片と、補強生地で構成されることになる。前記樹脂片又は金属片は、サポーター本体の表面側及び裏面側のそれぞれに配置してもよく、表面側及び裏面側の対応する位置に重ねて配置してもよい。前記補強生地は、一定の強度を有する観点から、弾性繊維を含まず、ポリエステル系繊維、ナイロン繊維等を用いた織物であることが好ましい。
【００２３】
前記サポーター本体の長手方向の両端部には、互いに脱着可能に結合する脱着手段が配置されている。脱着手段は、特に限定されず、フック、ボタン、面ファスナー等が挙げられるが、簡便性の観点から、面ファスナーであることが好ましい。脱着手段として、面ファスナーを用いる場合、いずれか一方の端部の脱着手段として面ファスナーに替えて起毛生地を用いても良い。
【００２４】
前記起毛生地は、天然繊維で構成されたものであってもよく、合成繊維で構成されたものであってもよい。例えば、ポリエチレンテレフタレート、ポリトリメチレンテレフタレート、ポリブチレンテレフタレート等のポリエステル繊維、ポリウレタン繊維、アセテート繊維、コットン繊維、レーヨン繊維、エチレンビニルアルコール繊維、ナイロン繊維等で構成することができる。
【００２５】
本発明の一実施形態において、サポーター本体の長手方向の両端部の表面側には、脱着手段として起毛面が露出するように起毛生地が配置されていることが好ましい。具体的は、起毛生地はサポーター本体に縫い合わされて、すなわち縫着されていることが好ましい。前記サポーター本体の長手方向の両端部のいずれか一方の裏面側には、前記起毛生地と脱着可能に結合することができる脱着手段として面ファスナーが配置されていることが好ましい。具体的は、面ファスナーはサポーター本体に縫い合わされていることが好ましい。
【００２６】
起毛生地とサポーター本体の間には補助パッドを配置してもよい。サポーター本体の長手方向の両端部に補助パッド及び起毛生地を配置し、それらをサポーター本体に縫い合わせることができる。また、補助パッドの表面側（人体側の反対側）には起毛生地を、裏面側（人体側）には他の生地を配置し、これらをサポーター本体に縫い合わせてもよい。補助パッドを用いることにより、腰用サポーターを着用した際、下腹部における着用感を良好にすることができる。
【００２７】
前記補助パッドとしては、特に限定されないが、天然スポンジ、合成スポンジ等を用いることができる。合成スポンジとしては、例えば、ポリウレタンスポンジ、ポリエチレンスポンジ、クロロプレンラバー等を用いることができる。前記補助パッドは、特に限定されないが、厚みが２〜８ｍｍであることが好ましい。
【００２８】
前記サポーター本体には、補助ベルトの少なくとも一つの端部が固定されている。前記補助ベルトは、サポーター本体の長手方向に沿って配置されている。補助ベルトは、長手方向に伸縮性を有することにより、腰部をサポートする。補助ベルトは、両方の端部がサポーター本体に固定されていてもよいが、補助ベルトによる緊締力を調整しやすく、適切なサポート力を発揮しやすい観点から、長手方向の一方の端部がサポーター本体に固定され、長手方向の他方の端部は自由端であり、脱着手段によりサポーター本体に脱着可能に結合することが好ましい。脱着手段としては、特に限定されず、例えば、フック、ボタン、面ファスナー、等が挙げられる。簡便性の観点から、面ファスナーであることが好ましい。
【００２９】
前記補助ベルトは、裏面側に配置されてもよく、表面側に配置されてもよい。着用性を高める観点から、補助ベルトは、表面側に配置されていることが好ましい。補助ベルト本数は、特に限定されず、適宜決めればよい。骨盤を安定させやすい観点から、補助ベルトは、少なくとも上前腸骨棘を覆う部分に配置されていることが好ましい。
【００３０】
前記補助ベルトは、腰部全体に対するサポート力を調整しやすい観点から、２本の左右対称に配置されている上部補助ベルトと、２本の左右対称に配置されている下部補助ベルトを含むことが好ましい。前記下部補助ベルトは、上前腸骨棘を覆うことが好ましい。前記上部補助ベルトの長手方向の一方の端部は、サポーター本体の長手方向の中央部に固定され、例えば縫い合わされ、他方の端部は脱着手段によりサポーター本体の長手方向の端部に脱着可能に結合することが好ましい。前記下部補助ベルトの長手方向の一方の端部は、サポーター本体の長手方向の中央部に固定され、例えば縫い合わされ、他方の端部は脱着手段によりサポーター本体の長手方向の端部に脱着可能に結合する。骨盤を安定させやすい観点から、前記下部補助ベルトは、前記サポーター本体の長手方向の中央部において交差していることが好ましい。
【００３１】
前記補助ベルトは、サポーター本体の緊締力を高めやすい観点から、長手方向の伸長率がサポーター本体を構成する伸縮性素材の長手方向の伸長率より高い高伸縮性素材で構成されていることが好ましい。前記高伸縮性素材は、例えば、ポリエチレンテレフタレート、ポリトリメチレンテレフタレート、ポリブチレンテレフタレート等のポリエステル繊維、ポリウレタン繊維、アセテート繊維、コットン繊維、レーヨン繊維、エチレンビニルアルコール繊維、ナイロン繊維等を用いて構成することができる。前記サポーター本体生地は、ポリエステル繊維及び/又はナイロン繊維を主成分とし、ポリウレタン弾性繊維（スパンデックスとも称される。）を適量含む編物又は織物であることが好ましい。また、前記編物又は織物の組織も特に限定されない。
【００３２】
前記補助ベルトを構成する高伸縮性素材は、腰部を保護し、骨盤を安定しやすい観点から、長手方向の伸長率が、１０％以上であることが好ましく、３０％以上であることがより好ましい。着用性の観点から、８０％以下であることが好ましく、６０％以下であることがより好ましい。前記補助ベルトを構成する伸縮性素材の幅方向の伸長率は、特に限定されないが、着用性の観点から、０〜５％であることが好ましい。
【００３３】
前記補助ベルトは、着用者の腰に痛みや違和感を与えることなく、サポーター本体を補助して腰部を保護する観点から、縦幅（サポートー本体の幅方向の寸法）が１〜１０ｃｍであることが好ましく、１．５〜９ｃｍであることがより好ましい。
【００３４】
前記サポーター本体は、着用感の観点から、外周縁が全体的に丸みを帯びていることが好ましい。また、前記サポーター本体の外周縁には、サポーター本体のほつれを防止する観点から、周縁補強部が形成されていることが好ましい。具体的には、サポーター本体の周縁部を前記補強生地で被覆し、該補強生地をサポーター本体に縫い合わせることで周縁補強部を形成することができる。
【００３５】
本発明の実施形態において、縫製は、特に限定されず、例えば、ポリエステルフィラメントミシン糸、ポリエステルスパンミシン糸、ナイロンウーリー糸、ポリエステルウーリー糸等のミシン糸を適宜に用いて行うことができる。また、縫製方法も、特に限定されず、適宜に選択して用いることができる。本縫い、環縫い、１本針オーバーロック、２本針オーバーロック、フラットシーマ等の一般的な方法が挙げられる。
【００３６】
以下、図面に基づいて、本発明の腰用サポーターを説明する。
【００３７】
図１は、本発明の一実施形態の腰用サポーターの正面図であり、図２は同背面図であり、図３は同斜視図である。
【００３８】
図１〜３に示しているように、該実施形態（以下において、実施形態１とも記す。）の腰用サポーター１は、長手方向に伸縮性を有するサポーター本体１０と、サポーター本体１０の長手方向の中央部１１に幅方向に沿って配置されている中央補強部２０と、サポーター本体１０の長手方向の両端部１２に設けられた脱着手段４１、４２と、サポーター本体１０に少なくとも一つの端部が固定されている補助ベルト３０を備えている。
【００３９】
サポーター本体１０は、身体の前面において、上前腸骨棘の下縁から上前腸骨棘の上縁までを覆い、身体の背面において、第二腰椎から上後腸骨棘の下縁までを覆うような大きさであることが好ましい。
【００４０】
サポーター本体１０は、ポリエステル繊維及び/又はナイロン繊維を主成分とし、ポリウレタン弾性繊維（スパンデックスとも称される。）を適量含むメッシュ素材で構成されていることが好ましい。該メッシュ素材は、好ましくは、ポリエステル繊維及び/又はナイロン繊維を９０〜７８質量％含み、ポリウレタン弾性繊維を１０〜２２質量％含む。該メッシュ素材は、長手方向の伸長率が３０〜８０％であり、幅方向の伸長率が１５〜２５％であることが好ましい。
【００４１】
サポーター本体１０は、長手方向の中央部１１と両端部１２の間に形成された一対の丸みを帯びたくびれ部６１を有し、且つ両端部１２の下縁は円弧状になっている。くびれ部６１は、丸みを帯びている。くびれ部の曲率半径Ｒｎは、好ましくは、サポーター本体１０の最大幅Ｂの２０〜４８％である。
【００４２】
中央補強部２０は、サポーター本体１０の長手方向の中央部１１に幅方向に沿うように、計６本、左右対称に配置されている。実施形態１では、中央補強部２０を６本配置しているが、中央補強部の本数は、特に限定されず、１本以上であればよく、適宜に決めることができる。
【００４３】
中央補強部２０は、両側の２本を除いた４本では、サポーター本体１０の表面側と対応する裏面側の両方に樹脂片又は金属片が配置され、いずれもそれを覆った補強生地をサポーター本体１０に縫い合わせてことで、サポーター本体１０に固定されている。両側の２本では、樹脂片又は金属片をサポーター本体１０の裏面側のみに配置され、樹脂片又は金属片は補強生地で覆われており、表面側には補強生地のみが配置され、補強生地をサポーター本体１０に縫い合わせてことで、サポーター本体１０に固定されている。
【００４４】
サポーター本体１０の表面側において、長手方向の両端部１２には起毛生地が配置され、脱着手段４１として機能する。サポーター本体１０の裏面側において、長手方向の一方の端部には面ファスナーが配置され、脱着手段４２として機能する。
【００４５】
該実施形態において、起毛生地とサポーター本体の間には補助パッドが配置されている。具体的には、補助パッドの表面側には起毛生地が配置され、裏面側には他の生地が配置され、これらをサポーター本体に縫い合わせてもよい。
【００４６】
該実施形態において、補助ベルト３０は、２本の左右対称に配置されている上部補助ベルト３１と、２本の左右対称に配置されている下部補助ベルト３２を含む。上部補助ベルト３１の長手方向の一方の端部は、サポーター本体１０の長手方向の中央部１１に縫い合わされ、他方の端部は脱着手段５１によりサポーター本体１０の長手方向の端部１２に脱着可能に結合する。下部補助ベルト３２の長手方向の一方の端部は、サポーター本体１０の長手方向の中央部１１に縫い合わされ、他方の端部は脱着手段５２によりサポーター本体１０の長手方向の端部１２に脱着可能に結合する。下部補助ベルト３２は、サポーター本体１０の長手方向の中央部１１において交差している。
【００４７】
該実施形態において、補助ベルト３０は、サポーター本体の緊締力を高めやすい観点から、長手方向の伸長率がサポーター本体を構成する伸縮性素材の長手方向の伸長率より高い伸縮性素材で構成されている。
【００４８】
サポーター本体１０は、外周縁が全体的に丸みを帯びており、サポーター本体１０のほつれを防止する観点から、補強生地により周縁補強部１３が形成されている。具体的には、サポーター本体１０の周縁部を補強生地で覆い縫い合わせることで周縁補強部１３を形成している。
【００４９】
図４は本発明の一実施形態における腰用サポーターの使用状態を示す正面図であり、図５は同側面図である。図４及び５に示されているように、腰用サポーター１は、サポーター本体１０の長手方向の中央部１１と両端部１２の間に形成されたくびれ部６１が鼠径部に沿うように着用されることが好ましい。腰用サポーター１において、サポーター本体１０の長手方向の両端部１２の下縁が円弧状になっていることで、腰用サポーター１はくびれ部６１が鼠径部に沿うように着用されやすく、且つくびれ部６１が丸みを帯びていることから、股関節屈曲による位置ずれが生じにくくなる。
【実施例】
【００５０】
以下実施例を用いて本発明をさらに具体的に説明する。なお、本発明は下記の実施例に限定されるものではない。
【００５１】
（実施例１）
サポーター本体生地として、長手方向の伸長率が７７％であり、幅方向の伸長率が２１％であるパワーメッシュ（ナイロン繊維８４質量％、スパンデックス１６質量％）を用いて図１に示すような形状のサポーター本体１０を作製した。サポーター本体１０は、下縁において、長手方向の中央部１１と両端部１２の間に形成された一対の丸みを帯びたくびれ部６１を有し、且つ両端部１２の下縁は円弧状になっていた。サポーター本体１０において、図６に示すように、全長Ａは８９０ｍｍであり、最大幅Ｂは２２０ｍｍであり、両端部の最大幅Ｃは１７０ｍｍであり、くびれ部が形成された箇所の幅Ｄは１２５ｍｍであり、くびれ部の曲率半径Ｒｎは７５ｍｍであった。また、サポーター本体１０の両端部１２において、表面側にトリコット生地（ポリエステル繊維１００質量％）、ポリウレタンスポンジ（厚み３ｍｍ）、起毛生地（ナイロン繊維１００質量％）をこの順番で重ね合せた後、これらをサポーター本体１０に縫い合わせた。起毛生地はサポーター本体１０の脱着手段４１となる。なお、図１〜図８において、点線は縫製線を示す。また、図２に示すように、サポーター本体１０に、ポリプロピレン板（厚み２ｍｍ、幅１０ｍｍ）計６本を左右対称になるように配置し、これらの樹脂片を補強生地（ポリエステル繊維１００質量％）で覆い、該補強生地をサポーター本体１０に縫い合わせ、中央補強部２０（２０ａ、２０ｂ、２０ｃ、２０ｄ、２０ｅ及び２０ｆ）を形成した。サポーター本体１０の下端部において、中央補強部２０ａと２０ｂの間隔、２０ｂと２０ｃの間隔、２０ｃと２０ｄの間隔、２０ｄと２０ｅの間隔、２０ｅと２０ｆの間隔は、それぞれ、７ｍｍ、６ｍｍ、６ｍｍ、６ｍｍ、７ｍｍであり、且つサポーター本体１０の上端部において、中央補強部２０ａと２０ｂの間隔、２０ｂと２０ｃの間隔、２０ｃと２０ｄの間隔、２０ｄと２０ｅの間隔、２０ｅと２０ｆの間隔が、それぞれ、６ｍｍ、７ｍｍ、７ｍｍ、７ｍｍ、６ｍｍであった。また、図１及び図２に示すように、サポーター本体１０の周縁部を補強生地（ポリエステル繊維８８質量％、スパンデックス１２質量％）で覆い、該補強生地をサポーター本体１０に縫い合わせ、周縁補強部１３を形成した。また、図１に示すように、サポーター本体１０の表面側の上部において、２本のゴムベルト（３本分け、幅５０ｍｍ、ポリエステル繊維７８質量％、スパンデックス２２質量％）のそれぞれの片方の端部を、中央補強部２０ｃ及び２０ｄのそれぞれに接するように左右対称に配置し、サポーター本体１０に縫い合わせ、上部補助ベルト３１を形成した。２本の上部補助ベルトの長さＥは、それぞれ２４０ｍｍであった。また、図１に示すように、サポーター本体１０の表面側の下部において、３本のゴムベルト（３本分け、幅５０ｍｍ、ポリエステル繊維７８質量％、スパンデックス２２質量％）のそれぞれの片方の端さ部を、中央補強部２０ｅ及び２０ｂのそれぞれに接し、且つサポーター本体１０の中央部１１において交差するように左右対称に配置し、サポーター本体１０に縫い合わせ、下部補助ベルト３２を形成した。２本の下部補助ベルトの長さＦは、それぞれ３９０ｍｍであった。２本の上部補助ベルト及び２本の下部補助ベルトの自由端部の裏面側には、面ファスナーを縫い合わせ、脱着手段５１及び５２を形成した。また、図１及び図２に示すように、サポーター本体１０の表面側において、３本ゴムベルトの２本目は補強生地の裏面側に、１本目と３本目は補強生地の表面側に位置するように、中央補強部２０ａ、２０ｆに対応する位置に補強生地を配置し、該補強生地の長手方向の両端部及び中間部における３箇所をサポーター本体１０に縫い合わせた。また、サポーター本体１０の長手方向の中央部１１と両端部１２の連結部には、補強生地（ポリエステル繊維１００質量％、幅１８ｍｍ）を縫い合わせた。また、図２に示すように、サポーター本体１０の裏面側において、長手方向の片方の端部に面ファスナーを縫い合わせて脱着手段４２を形成した。
【００５２】
（比較例１）
図７及び図８に示すように、サポーター本体１１０の下縁において、長手方向の中央部１１１と両端部１１２の間にくびれ部を形成しておらず、長手方向の両端部１１２の形状が実施例１における長手方向の両端部１２の形状と異なる以外は、実施例１と同様にして腰用サポーターを作製した。該腰用サポーター１００は、サポーター本体１１０と、中央補強部１２０と、周縁補強部１１３、補助ベルト１３０、サポーター本体１１０の脱着手段１４１、１４２を備えていた。補助ベルト１３０は、上部補助ベルト１３１と、下部補助ベルト１３２を含み、上部補助ベルト１３１は脱着手段１５１を、下部補助ベルト１３２は脱着手段１５２を備えていた。
【００５３】
実施例１及び比較例１の腰用サポーターを、女性被験者９名（平均年齢６８．６才、平均身長１５１．９７ｃｍ、平均体重４７．５５ｋｇ、腰部疾患なし）に衣服の上から着用してもらい、股関節屈曲試験による腰用サポーターの位置ずれを確認した。被験者９名の位置ずれの平均値を下記表１及び図９に示した。
【００５４】
（股関節屈曲試験）
（１）立位でサポーターを装着し、大腿部前面の上前腸骨棘下方において、サポーター下端部に対応する位置に印を付けた。
（２）椅子を用いて座り込み及び立ち上がり動作を連続して１０回行った。
（３）上記（１）で付けた印とサポーター下端部の距離を位置ずれとしてその長さを計測した。
【００５５】
【表１】
2018076628.tif 000003
【００５６】
表１及び図９から分かるように、実施例１の腰用サポーターは、比較例１の腰用サポーターに比べて、有意に位置ずれが少なかった。実施例１の腰用サポーターは、長手方向の中央部と両端部の間に形成された一対の丸みを帯びたくびれ部を有し、且つ両端部の下縁が円弧状になっていることから、くびれ部が鼠径部に沿うようになり、股関節深屈曲時のサポーター本体を構成する生地の折れやたわみ、しわが少なくなり、サポーター本体全体が上方に押し上げられることがなくなったため、位置ずれが小さくなったと推測される。
【００５７】
また、実施例１の腰用サポーターを６８名の男女被験者（５０〜７９歳の男性３４名、女性３４名）に着用してもらい、位置ずれにくさ、装着のしやすさ、腰の動かしやすさ及び全体のフィット感を、非常に良い場合を６、非常に悪い場合を１とし、６段階のＳＤ法を用いて官能値を取得した。下記表２に、６８名の被験者の平均値を示した。
【００５８】
【表２】
2018076628.tif 000004
【００５９】
表２の結果から分かるように、実施例１の腰用サポーターを着用した場合、位置ずれにくさ、装着のしやすさ及びの動かしやすさのいずれも良好であった。
【符号の説明】
【００６０】
１、１００  腰用サポーター
１０、１１０  サポーター本体
１１、１１１  サポーター本体の長手方向の中央部
１２、１１２  サポーター本体の長手方向の端部
１３、１１３  周縁補強部
２０、２０ａ、２０ｂ、２０ｃ、２０ｄ、２０ｅ、２０ｆ、１２０  中央補強部
３０、１３０  補助ベルト
３１、１３１  上部補助ベルト
３２、１３２  下部補助ベルト
４１、４２、５１、５２、１４１、１４２、１５１、１５２  脱着手段
６１  くびれ部
【図１】
2018076628.tif 000005
【図２】
2018076628.tif 000006
【図３】
2018076628.tif 000007
【図４】
2018076628.tif 000008
【図５】
2018076628.tif 000009
【図６】
2018076628.tif 000010
【図７】
2018076628.tif 000011
【図８】
2018076628.tif 000012
【図９】
2018076628.tif 000013